(57)【要約】【課題】スペーサ層のグルーブの溝深さを浅くすることにより、低コストでしかも高歩留まりで作製できる光情報記録媒体を提供する。【解決手段】本発明による光情報記録媒体は、第１基板と、前記第１基板に設けられた第１記録層と、前記第１記録層に設けられた第１反射層と、前記第１反射層に設けられたスペーサ層と、シアニン染料からなり、前記スペーサ層に設けられた第２記録層と、前記第２記録層に設けられた第２反射層と、前記第２反射層に設けられた第２基板とを備える。【選択図】図４
2006031928.tif 000002
【特許請求の範囲】
【請求項１】
第１基板と、
前記第１基板に設けられた第１記録層と、
前記第１記録層に設けられた第１反射層と、
前記第１反射層に設けられたスペーサ層と、
シアニン染料からなり、前記スペーサ層に設けられた第２記録層と、
前記第２記録層に設けられた第２反射層と、
前記第２反射層に設けられた第２基板と
を備える、ことを特徴とする光情報記録媒体。
【請求項２】
前記光情報記録媒体は、追記型の片面２層デジタルビデオディスクである、ことを特徴とする請求項１に記載の光情報記録媒体。
【請求項３】
前記第１反射層は、半反射層である、ことを特徴とする請求項１に記載の光情報記録媒体。
【請求項４】
前記スペーサ層は、前記第２記録層側に対向し、少なくとも溝深さが約１００〜１５０nmのグルーブを有する、ことを特徴とする請求項１に記載の光情報記録媒体。
【請求項５】
前記グルーブは、ポリメチルメタクリレート(PMMA)からなるソフトスタンパによって形成される、ことを特徴とする請求項４に記載の光情報記録媒体。
【請求項６】
前記第２記録層は、膜厚が約１１０〜１４０nmである、ことを特徴とする請求項１に記載の光情報記録媒体。
【発明の詳細な説明】
【技術分野】
【０００１】
本発明は、光情報記録媒体に関し、特に片面２層または両面２層の光情報記録媒体に関する。
【背景技術】
【０００２】
情報とマルチメディア時代に向けて、電子製品が記録媒体の記録密度と容量に対する要請も絶えずに高まっている。従来の記録媒体は、磁気記録媒体と光記録媒体とに分けられ、現在、主な市場を占めるのは、光記録媒体である。光記録媒体は、例えば、再生専用型ディスク（CD-ROM）、追記型ディスク（CD-R）、書換型ディスク（CD-RW）、再生専用型デジタルビデオディスク（DVD-ROM）、追記型デジタルビデオディスク（DVD-R）、書換型デジタルビデオディスク（DVD-RW,DVD+RW）、ランダムアクセスメモリデジタルビデオディスク（DVD-RAM）等を含んでいる。
【０００３】
ますます膨大になる情報量に対して、ディスクのデータ容量を高めることは、業界で重要な課題となっている。ここで、DVDは、CDより大きなデータ記録容量を有するため、光記録媒体の市場に一定の割合を占めている。DVDは、片面単層（single side single layer）、両面単層（dual side single layer）、片面２層（single side dual layer）、両面２層（dual side dual layer）など、異なる形式を有し、その記録容量も、４.７GB〜１７GBの広い範囲を有する。
【０００４】
そのうち、２P法(Photo-Polymerization Process, ２P process)は、片面２層DVD-Rディスクと両面２層DVD-Rディスクの製造によく用いられる方法である。以下、片面２層DVD-Rディスク１０を例にし、２P法を説明する。
【０００５】
図１（A）〜図１（F）を参照すると、２P法では、まずプリグルーブ(pre-grooved)を有する第１基板１１上に、順次に第１記録層１２１と、第１反射層１２２と、光硬化性樹脂層１３'とを形成する。次に、プリグルーブを有するスタンパ１６を、光硬化性樹脂層１３'にプレスして貼り合せるとともに、紫外線の照射により、光硬化性樹脂を硬化させ、スペーサ層１３を形成する。そして、スタンパ１６を剥離した後、少なくとも一つのグルーブGがスペーサ層１３に形成される。さらに、スペーサ層１３に、第２記録層１４１と第２反射層１４２とを形成する。最後に、第２基板１５と第２反射層１４２とを貼り合わせることで、片面２層DVD-Rディスク１０の作製が完了する。
【０００６】
もちろん、片面２層DVD-Rディスク１０の外に、両面２層DVD-Rディスク２０も２P法により製造することができる。図２（A）〜図２（C）に示すように、両面２層DVD-Rディスク２０の製造工程では、前半が片面２層DVD-Rディスク１０の製造工程と同様に、まず、それぞれ、第１基板２１、第１記録層２２１、第１反射層２２２、第１スペーサ層２３、第２記録層２４１、第２反射層２４２の順に積層されたディスク(図２（A）参照)と、第２基板２９、第４記録層２８２、第４反射層２８１、第３スペーサ層２７、第３記録層２６２、第３反射層２６１の順に積層されたディスク(図２（B）参照)を形成する。続いて、上記２枚のディスクを光硬化性樹脂により貼り合せ硬化させた後、第２スペーサ層２５を形成する(図２（C）参照)。このようにして、両面２層DVD-Rディスク２０の作製が完了する。
【０００７】
なお、従来の技術では、片面２層DVD-Rディスク１０の第２記録層１４１または両面２層DVD-Rディスク２０の第３記録層２６２は、通常、アゾ染料(AZO)から構成される。この場合、情報の読み取りのために、第２記録層１４１または第３記録層２６２の膜厚は、１５０nm〜１７０nmを必要とする。第２記録層１４１の形成を例にすると、まずプリグルーブを有するスタンパ１６をスペーサ層１３にプレスして貼り合せてから、スタンパ１６を剥離することにより、スペーサ層１３に溝深さが約１６０〜１８０nmのグルーブGを形成する。それから、グルーブG内にアゾ染料を塗布することにより、膜厚が１５０nm〜１７０nmの第２記録層１４１を形成する。
【発明の開示】
【発明が解決しようとする課題】
【０００８】
しかし、従来の技術では、スタンパ１６は、ポリメチルメタクリレート(Polymethyl Methacrylate,  以下PMMAと称する)からなるが、PMMAの流動性が比較的に悪いため、グルーブの溝深さが１６０nm程度のスタンパ１６を形成するのは困難であり、第２記録層１４１を所期の膜厚に形成できず、ディスクの歩留まりを低下させてしまう。従って、PMMAによって作製されたスタンパ１６は、AZO染料からなる第２記録層１４１または第３記録層２６２のグルーブGの形成に適しない。また、第１記録層１２１と第１反射層１２２の接着力が比較的に弱いため、強大な引き力に抗し切れず、スタンパの剥離ステップでは、スペーサ層１３が破損したり、第１記録層１２１と第１反射層１２２が第１基板１１から分離したりすることもある(図３参照)。さらに、グルーブGが深ければ深いほど、スタンパ１６を剥離する引き力が大きくなるため、スタンパ１６またはスペーサ層１３が破損しやすくなり、さらに情報を読み取るレーザ光の進路が影響され、ディスクの歩留まりを低下させ、生産コストを増やしてしまう。
【０００９】
本発明は、上記問題に鑑みてなされたものであり、スペーサ層のグルーブの溝深さを浅くすることにより、低コストでしかも高歩留まりで作製できる、光情報記録媒体を提供することを目的とする。
【課題を解決するための手段】
【００１０】
上記目的を達成するために、本発明による光情報記録媒体は、第１基板と、前記第１基板に設けられた第１記録層と、前記第１記録層に設けられた第１反射層と、前記第１反射層に設けられたスペーサ層と、シアニン染料からなり、前記スペーサ層に設けられた第２記録層と、前記第２記録層に設けられた第２反射層と、前記第２反射層に設けられた第２基板とを備える。
【００１１】
また、本発明による光情報記録媒体、第１基板と、前記第１基板に設けられた第１記録層と、前記第１記録層に設けられた第１反射層と、前記第１反射層に設けられた第１スペーサ層と、シアニン染料からなり前記第１スペーサ層に設けられた第２記録層と、前記第２記録層に設けられた第２反射層と、前記第２反射層に設けられた第２スペーサ層と、前記第２スペーサ層に設けられた第３反射層と、シアニン染料からなり前記第３反射層に設けられた第３記録層と、前記第３記録層に設けられた第３スペーサ層と、前記第３スペーサ層に設けられた第４反射層と、前記第４反射層に設けられた第４記録層と、前記第４記録層に設けられた第２基板とを備える。
【発明の効果】
【００１２】
本発明に係わる光情報記録媒体によれば、片面２層DVD-Rディスクにおける第２記録層と、両面２層DVD-Rディスクにおける第２記録層と第３記録層とは、いずれもシアニン染料からなり、従来の技術と比較すると、記録層に必要とするスペーサ層のグルーブの溝深さが比較的に浅いため、スペーサ層のグルーブの形状を反映して形成されたスタンパのグルーブの溝深さも浅くなる。それで、グルーブの溝深さに対する要求が低くなるため、比較的に安価なPMMAを材料にし、射出成形によりスタンパを作製することができ、製品の生産コストを低減することができる。また、スペーサ層のグルーブが浅くなると、スタンパを剥離する引き力も減少し、さらに、スタンパまたは他の対応するスペーサ層、反射層、や記録層の破損が減少し、製品の歩留まりを向上することができる。
【発明を実施するための最良の形態】
【００１３】
以下、図面を参照しながら、本発明の好適な実施の形態における光情報記録媒体について説明する。
【００１４】
本発明の光情報記録媒体は、２P法(Photo-Polymerization Process, ２P Process)によって作製される。ここで、光情報記録媒体は、追記型の片面２層デジタルビデオディスクと追記型の両面２層デジタルビデオディスクを含む。
【００１５】
実施例１
片面２層DVD-Rディスク３０は、図４に示すように、第１基板３１と、第１記録層３２１と、第１反射層３２２と、スペーサ層３３と、第２記録層３４１と、第２反射層３４２と、第２基板３９とを備える。
【００１６】
そのうち、第１記録層３２１と第１反射層３２２は、第１記録積層体L０と総称し、第２記録層３４１と第２反射層３４２は、第２記録積層体L１と総称する。なお、レーザ光は、第１記録積層体L０側からディスクに入る。
【００１７】
第１基板３１と第２基板３９は、通常、良好の光学性質と化学安定性を有するポリカーボネート（PC）より構成される。本実施例において、第１基板３１及び第２基板３９は、ポリカーボネートで射出成形によって、プリグルーブを有する基板を作製する。
【００１８】
第１記録層３２１は、第１基板３１に設けられる。第１記録層３２１は、有機染料または無機材料より構成される。本実施例において、第１記録層３２１は、有機染料からなり、スピンコーテイングによって形成される。
【００１９】
第１反射層３２２は、第１記録層３２１に設けられる。第１反射層３２２は、半反射層(semi-reflective layer)であり、金属またはその合金、例えばシルバーまたはシルバー合金、アルミニウムまたはアルミニウム合金、金または金合金等より構成される。第１反射層３２２は、通常スパッタリングまたは蒸着によって形成される。
【００２０】
スペーサ層３３は、第１反射層３２２に設けられる。スペーサ層３３を形成する際に、まず液状の光硬化性樹脂を塗布し、それから、プリグルーブを有するソフトスタンパ(Soft Stamper)を光硬化性樹脂にプレスして貼り合せてから、紫外線の照射により、光硬化性樹脂を固態のスペーサ層３３に硬化させる。スペーサ層３３は、異なる記録層に反射された光線を区別するために設けられる。ここで、ソフトスタンパは、グルーブの溝深さが約１００〜１５０nmである。
【００２１】
このようにして、スペーサ層３３は、第２記録層３４１側に対向し、少なくとも溝深さが約１００〜１５０nmのグルーブGを有する。本実施例において、グルーブGを形成するソフトスタンパは、例えばポリメチルメタクリレート(PMMA)からなる。
【００２２】
第２記録層３４１は、シアニン染料(Cyanine Dye)からなり、塗布法によりスペーサ層３３に設けられる。なお、第２記録層３４１は、膜厚が約１１０〜１４０nmであるため、必要とするスペーサ層３３のグルーブGの溝深さがAZO染料の場合より浅い(AZO染料の場合は、約１６０nmのグルーブの溝深さを必要とし、シアニン染料の場合は、約１２０nmのグルーブの溝深さを必要とする)。
【００２３】
第２反射層３４２は、第２記録層３４１に設けられる。第２反射層３４２は、例えば無機材料から構成され、その材料が例えば半導体合金薄膜、導体合金薄膜や金属薄膜である。
【００２４】
第２基板３９は、第２反射層３４２に設けられる。第２基板３９は、例えば接着剤により、第２反射層３４２に接着される。
【００２５】
実施例２
両面２層DVD-Rディスク３０'は、図５に示すように、第１基板３１と、第１記録層３２１と、第１反射層３２２と、第１スペーサ層３３'と、第２記録層３４１と、第２反射層３４２と、第２スペーサ層３５と、第３反射層３６１と、第３記録層３６２と、第３スペーサ層３７と、第４反射層３８１と、第４記録層３８２と、第２基板３９とを備える。
【００２６】
レーザ光は、両側の基板からディスクに進入できるため、第１記録層３２１と第１反射層３２２は、第１記録積層体L０と総称するが、第４反射層３８１と第４記録層３８２も、第１記録積層体L０と総称してもよい。同様に、第２記録層３４１と第２反射層３４２は、第２記録積層体L１と総称するが、第３反射層３６１と第３記録層３６２も、第２記録積層体L１と総称してもよい。
【００２７】
第１記録層３２１は、第１基板３１に設けられる。第１反射層３２２は、第１記録層３２１に設けられる。第１スペーサ層３３'は、第１反射層３２２に設けられる。第２記録層３４１は、シアニン染料からなり第１スペーサ層３３'に設けられる。第２反射層３４２は、第２記録層３４１に設けられる。
【００２８】
本実施例において、第１基板３１、第１記録層３２１、第１反射層３２２、第１スペーサ層３３'、第２記録層３４１、及び第２反射層３４２は、上述した実施例１における第１基板３１、第１記録層３２１、第１反射層３２２、スペーサ層３３、第２記録層３４１、及び第２反射層３４２と、同様な効果と特徴を有するため、その説明を省略する。
【００２９】
第３反射層３６１は、第２スペーサ層３５に設けられる。第３記録層３６２は、シアニン染料からなり第３反射層３６１に設けられる。本実施例において、第３反射層３６１は、第２反射層３４２と、同様な材料から構成すればよく、第３記録層３６２は、第２記録層３４１と同様な材料から構成すればよい。なお、シアニン染料は、光に弱いため、ディスクの第２記録積層体L１中に設置することにより、光線の照射強度を弱めることができる。
【００３０】
第２スペーサ層３５は、第２反射層３４２に設けられる。第３スペーサ層３７は、第３記録層３６２に設けられる。本実施例において、第２スペーサ層３５と第３スペーサ層３７は、いずれも光硬化性樹脂を硬化させてからなり、その材料が第１スペーサ層３３'と同様なので、ここで説明を省略する。
【００３１】
第４反射層３８１は、第３スペーサ層３７に設けられる。第４記録層３８２は、第４反射層３８１に設けられる。ここで、第４反射層３８１は、第１反射層３２２と同様に、半反射層である。
【００３２】
第２基板３９は、第４記録層３８２に設けられる。本実施例において、第２基板３９は、第１基板３１と同様な材料から構成してもよい。
【００３３】
以上、本発明の実施の形態について図面を参照して詳述してきたが、具体的な構成は、これらの実施の形態に限られるものではなく、本発明の要旨を逸脱しない範囲の設計変更等があっても、本発明に含まれる。
【図面の簡単な説明】
【００３４】
【図１】（Ａ）〜（Ｆ）は、従来の片面２層デジタルビデオディスクの製造工程を示す図である。
【図２】（Ａ）〜（Ｃ）は、従来の両面２層デジタルビデオディスクの製造工程を示す図である。
【図３】従来の片面２層デジタルビデオディスクの製造工程において、スタンパを剥離する際に、スペーサ層またはスタンパの破損状態を示す図である。
【図４】本発明の実施例１における片面２層デジタルビデオディスクを示す図である。
【図５】本発明の実施例２における両面２層デジタルビデオディスクを示す図である。
【符号の説明】
【００３５】
１０  片面２層DVD-Rディスク
１１  第１基板
１２  第１記録積層体
１２１  第１記録層
１２２  第１反射層
１３  スペーサ層
１３'  光硬化性樹脂層
１４  第２記録積層体
１４１  第２記録層
１４２  第２反射層
１５  第２基板
１６  スタンパ
２０  両面２層DVD-Rディスク
２１  第１基板
２２１  第１記録層
２２２  第１反射層
２３  第１スペーサ層
２４１  第２記録層
２４２  第２反射層
２５  第２スペーサ層
２６１  第３反射層
２６２  第３記録層
２７  第３スペーサ層
２８１  第４反射層
２８２  第４記録層
２９  第２基板
３０  片面２層DVD-Rディスク
３０'  両面２層DVD-Rディスク
３１  第１基板
３２１  第１記録層
３２２  第１反射層
３３  スペーサ層
３３'  第１スペーサ層
３４１  第２記録層
３４２  第２反射層
３５  第２スペーサ層
３６１  第３反射層
３６２  第３記録層
３７  第３スペーサ層
３８１  第４反射層
３８２  第４記録層
３９  第２基板
L０  第１記録積層体
L１  第２記録積層体
G  グルーブ
【図１】
2006031928.tif 000003
【図２】
2006031928.tif 000004
【図３】
2006031928.tif 000005
【図４】
2006031928.tif 000006
【図５】
2006031928.tif 000007